(57)【要約】      （修正有）【課題】カバー部材を開いた勢いでスキャナハウジング及び原稿カバーがさらに後方に開くことを防止できる画像形成装置。【解決手段】ロック機構は、スキャナハウジング１２及びカバー部材１４が閉姿勢の状態で、原稿カバー１３を開姿勢にすると、スキャナハウジング１２をカバー部材１４にロックし、かつカバー部材１４をプリンタハウジング１１にロックする第一のロック手段７と、原稿カバー１３及びカバー部材１４が閉姿勢の状態で、スキャナハウジング１２を開姿勢にすると、原稿カバー１３をスキャナハウジング１２にロックし、かつカバー部材１４をプリンタハウジング１１にロックする第二のロック手段８と、原稿カバー１３及びスキャナハウジング１２が閉姿勢の状態でカバー部材１４を開姿勢にすると、原稿カバー１３をスキャナハウジング１２にロックし、かつスキャナハウジング１２をカバー部材１４にロックする第三のロック手段９とを備える。【選択図】図１３
2008209823.tif 000002
【特許請求の範囲】
【請求項１】
記録媒体に画像を形成する画像形成手段を収納しているプリンタハウジングと、
前記プリンタハウジングの上方を覆う閉姿勢と上方を開放する開姿勢とに揺動可能に前記プリンタハウジングに連結されているカバー部材と、
前記カバー部材の上方を覆う閉姿勢と上方を開放する開姿勢とに揺動可能に前記カバー部材に連結され、原稿載置される原稿台を有し、前記原稿台上に載置されている原稿を読み取って画像データを出力する画像読み取り手段を収容しているスキャナハウジングと、
前記原稿台を覆う閉姿勢と開放する開姿勢とに揺動可能に前記スキャナハウジングに連結されている原稿カバーとを備えた画像形成装置であって、
前記スキャナハウジング及び前記カバー部材が閉姿勢の状態で前記原稿カバーを開姿勢にすると、前記スキャナハウジングを前記カバー部材にロックし、かつ前記カバー部材を前記プリンタハウジングにロックする第一のロック手段と、
前記原稿カバー及び前記カバー部材が閉姿勢の状態で前記スキャナハウジングを開姿勢にすると、前記原稿カバーを前記スキャナハウジングにロックし、かつ前記カバー部材を前記プリンタハウジングにロックする第二のロック手段と、
前記原稿カバー及び前記スキャナハウジングが閉姿勢の状態で前記カバー部材を開姿勢にすると、前記原稿カバーを前記スキャナハウジングにロックし、かつ前記スキャナハウジングを前記カバー部材にロックする第三のロック手段とを備えることを特徴とする画像形成装置。
【請求項２】
前記原稿カバーはオートドキュメントフィーダが一体に設けられていることを特徴とする請求項１に記載の画像形成装置。
【請求項３】
前記第一のロック手段は前記スキャナハウジングに軸支される第一の回動部材と前記カバー部材に軸支される第二の回動部材とを有し、前記第一の回動部材は一端部に第一のフックを有し、前記第二の回動部材は一端部に第二のフックを有し、
前記原稿カバー、前記スキャナハウジング及び前記カバー部材を閉姿勢にすると前記第一のフックと前記カバー部材との係合及び前記第二のフックと前記プリンタハウジングとの係合が外れ、
前記スキャナハウジング及び前記カバー部材が閉姿勢の状態で前記原稿カバーを開姿勢にすると、前記第一のフックと前記カバー部材とが係合し、前記第二のフックと前記プリンタハウジングとが係合することを特徴とする請求項１又は２に記載の画像形成装置。
【請求項４】
前記スキャナハウジング及び前記カバー部材が閉姿勢の状態で前記原稿カバーを開姿勢にすると、前記原稿カバーによって押されていた前記第一の回動部材は他端部が開放されて回動し、その回動によって前記第一のフックと前記カバー部材とが係合すると同時に、前記第二の回動部材の他端部が前記第一のフックに押されて回動し、前記第二の回動部材が回動することによって前記第二のフックと前記プリンタハウジングとが係合することを特徴とする請求項３に記載の画像形成装置。
【請求項５】
前記第一のロック手段は前記第一の回動部材を付勢する第一の付勢手段と前記第二の回動部材を付勢する第二の付勢手段とを有し、前記第一の付勢手段は、前記第二の付勢手段よりも大きい力で付勢しており、前記スキャナハウジング及び前記カバー部材が閉姿勢の状態で前記原稿カバーを開姿勢にすると、前記第一の回動部材は前記第一の付勢手段に付勢されて前記第一のフックと前記カバー部材とが係合する方向に回動し、その回動によって前記第一のフックと前記カバー部材とが係合すると同時に、前記第二の回動部材は他端部が前記第一のフックに押され、前記付勢手段の付勢力に抗して前記第二のフックと前記プリンタハウジングとが係合する方向に回動し、前記第二のフックと前記プリンタハウジングとが係合することを特徴とする請求項４に記載の画像形成装置。
【請求項６】
前記第二のロック手段は前記スキャナハウジングに軸支される第三の回動部材と前記カバー部材に軸支される第四の回動部材とを有し、前記第三の回動部材は一端部に第三のフックを有し、前記第四の回動部材は一端部に第四のフックを有し、
前記原稿カバー、前記スキャナハウジング及び前記カバー部材を閉姿勢にすると前記第三のフックと前記原稿カバーとの係合及び前記第四のフックと前記プリンタハウジングとの係合が外れ、
前記原稿カバー及び前記カバー部材が閉姿勢の状態で前記スキャナハウジングを開姿勢にすると、前記第三のフックと前記原稿カバーとが係合し、前記第四のフックと前記プリンタハウジングとが係合することを特徴とする請求項１〜５のいずれかに記載の画像形成装置。
【請求項７】
前記原稿カバー及び前記カバー部材が閉姿勢の状態で前記スキャナハウジングを開姿勢にすると、前記カバー部材によって押されていた前記第三の回動部材は他端部が開放されて回動し、その回動によって前記第三のフックと前記原稿カバーとが係合すると同時に前記スキャナハウジングによって押されていた前記第四の回動部材の他端部が開放されて回動し、その回動によって前記第四のフックと前記プリンタハウジングとが係合することを特徴とする請求項６に記載の画像形成装置。
【請求項８】
前記第二のロック手段は前記第三の回動部材を付勢する第三の付勢手段と前記第四の回動部材を付勢する第四の付勢手段とを有し、前記原稿カバー及び前記カバー部材が閉姿勢の状態で前記スキャナハウジングを開姿勢にすると、前記第三の回動部材は前記第三の付勢手段に付勢されて前記第三のフックと前記原稿カバーとが係合する方向に回動し、その回動によって前記第三のフックと前記原稿カバーとが係合すると同時に、前記第四の回動部材は前記第四の付勢手段に付勢されて前記第四のフックと前記プリンタハウジングとが係合する方向に回動し、その回動によって前記第四のフックと前記プリンタハウジングとが係合することを特徴とする請求項７に記載の画像形成装置。
【請求項９】
前記第三のロック手段は前記スキャナハウジングに軸支される第五の回動部材と前記カバー部材に軸支される第六の回動部材とを有し、前記第五の回動部材は一端部に第五のフックを有し、前記第六の回動部材は一端部に第六のフックを有し、
前記原稿カバー、前記スキャナハウジング及び前記カバー部材を閉姿勢にすると前記第五のフックと前記原稿カバーとの係合及び前記第六のフックと前記スキャナハウジングとの係合が外れ、
前記原稿カバー及び前記スキャナハウジングが閉姿勢の状態で前記カバー部材を開姿勢にすると、前記第五のフックと前記原稿カバーとが係合し、前記第六のフックと前記スキャナハウジングとが係合することを特徴とする請求項１〜８のいずれかに記載の画像形成装置。
【請求項１０】
前記原稿カバー及び前記スキャナハウジングが閉姿勢の状態で前記カバー部材を開姿勢にすると、プリンタハウジングよって押されていた前記第六の回動部材は他端部が開放されて回動し、前記第六の回動部材が回動することによって前記第六のフックとスキャナハウジングとが係合すると同時に、前記第五の回動部材の他端部が前記第六のフックに押されて回動し、その回動によって前記第六のフックと前記原稿カバーとが係合することを特徴とする請求項９に記載の画像形成装置。
【請求項１１】
前記第三のロック手段は前記第五の回動部材を付勢する第五の付勢手段と前記第六の回動部材を付勢する第六の付勢手段とを有し、前記第六の付勢手段は、前記第五の付勢手段よりも大きい力で付勢しており、前記原稿カバー及び前記スキャナハウジングが閉姿勢の状態で前記カバー部材を開姿勢にすると、前記第六の回動部材は前記第六の付勢手段に付
勢されて前記第六のフックと前記スキャナハウジングとが係合する方向に回動し、その回動によって前記第六のフックと前記スキャナハウジングとが係合すると同時に、前記第五の回動部材は他端部が前記第六のフックに押され、前記第五付勢手段の付勢力に抗して前記第五のフックと前記原稿カバーとが係合する方向に回動し、前記第五のフックと前記原稿カバーとが係合することを特徴とする請求項１０に記載の画像形成装置。
【発明の詳細な説明】
【技術分野】
【０００１】
本発明は、画像形成装置に関する。
【背景技術】
【０００２】
従来の画像形成装置６を図１７から図２０に示す。従来の画像形成装置６は、プリンタハウジング１と、プリンタハウジング１の上方を覆う閉姿勢と上方を開放する開姿勢とに揺動可能にプリンタハウジング１に連結されるスキャナハウジング２と、スキャナハウジング２が有する原稿台５を覆う閉姿勢と開放する開姿勢とに揺動可能にスキャナハウジング２に連結される原稿カバー３とを備える画像形成装置６が知られている。スキャナハウジング２を揺動してプリンタハウジング１の上方を開放することでインクカートリッジやトナーカートリッジの交換、あるいは用紙ジャムの解除などの作業を行うことができる。
【０００３】
こうした画像形成装置６の中には、プリンタハウジング１とスキャナハウジング２との間に空間を確保しているものもある。プリンタハウジング１とスキャナハウジング２との間に空間を確保するとプリンタハウジング１の上壁４を排紙トレイとして利用することが可能となる。プリンタハウジング１の上壁４を排紙トレイとして利用する場合、上壁４をプリンタハウジング１に揺動可能に連結すれば、上壁４を開くことによってインクカートリッジの交換やトナーカートリッジの交換、あるいは用紙ジャムの解除などの作業を行うことができる。上壁４を開いて作業を行う場合、スキャナハウジング２を開姿勢に揺動するとプリンタハウジング１の上方が開放されて上壁４を大きく開くことができるため、作業性が向上する。
【０００４】
しかしながら、図１７に示すように、原稿カバー３が揺動可能に連結されているスキャナハウジング２を揺動可能に連結すると、原稿カバー３を開いた状態で誤ってスキャナハウジング２を開いてしまったり、原稿カバー３を閉じた状態でスキャナハウジング２を開いたときに開いた勢いや原稿カバー３の自重で原稿カバー３が開いてしまったりすることがあり、後方に壁があれば原稿カバー３が壁にぶつかって破損する畏れがある。ここで「開く」とは閉姿勢から開姿勢に揺動することをいい、「閉じる」とは開姿勢から閉姿勢に揺動することをいう。
【０００５】
そこで、スキャナハウジング２が閉姿勢状態で原稿カバー３を開姿勢にするとスキャナハウジング２をプリンタハウジング１にロックする第一のロック手段（図１８参照）と、原稿カバー３が閉姿勢の状態でスキャナハウジング２を開姿勢にすると原稿カバー３をスキャナハウジング２にロックする第二のロック手段（図１９参照）とを設けた。（例えば特許文献１参照）
【特許文献１】特開２００６−４２００３号公報
【発明の開示】
【発明が解決しようとする課題】
【０００６】
ところが、従来の構成では、図２０に示すようにインクカートリッジやトナーカートリッジの交換を行うときに上壁４を開くと、上壁４を開いた勢いでスキャナハウジング２及び原稿カバー３がさらに後方に開いてしまう。また従来の画像形成装置６は、始めにスキャナハウジング２及び原稿カバー３を開いてから、次に上壁４を開くという２段階の作業を行わないとインクカートリッジやトナーカートリッジの交換ができないため、不便である。
【０００７】
そこで、本発明は、インクカートリッジやトナーカートリッジの交換を行うときに、原
稿カバー、スキャナハウジング及びカバー部材を同時に開くことができ、しかも、カバー部材を開いた勢いでスキャナハウジング及び原稿カバーがさらに後方に開くことを防止しできる画像形成装置を提供することを目的としている。
【課題を解決するための手段】
【０００８】
上記目的を達成するために、請求項１に記載の発明は、記録媒体に画像を形成する画像形成手段を収納しているプリンタハウジングとプリンタハウジングの上方を覆う閉姿勢と上方を開放する開姿勢とに揺動可能にプリンタハウジングに連結されているカバー部材と、  カバー部材の上方を覆う閉姿勢と上方を開放する開姿勢とに揺動可能にカバー部材に連結され、原稿載置される原稿台を有し、原稿台上に載置されている原稿を読み取って画像データを出力する画像読み取り手段を収容しているスキャナハウジングと、原稿台を覆う閉姿勢と開放する開姿勢とに揺動可能にスキャナハウジングに連結されている原稿カバーとを備えた画像形成装置であって、スキャナハウジング及びカバー部材が閉姿勢の状態で原稿カバーを開姿勢にすると、スキャナハウジングをカバー部材にロックし、かつカバー部材をプリンタハウジングにロックする第一のロック手段と、原稿カバー及びカバー部材が閉姿勢の状態でスキャナハウジングを開姿勢にすると、原稿カバーをスキャナハウジングにロックし、かつカバー部材をプリンタハウジングにロックする第二のロック手段と、原稿カバー及びスキャナハウジングが閉姿勢の状態でカバー部材を開姿勢にすると、原稿カバーをスキャナハウジングにロックし、かつスキャナハウジングをカバー部材にロックする第三のロック手段とを備えることを特徴とするものである。
【０００９】
請求項２に記載の発明は、原稿カバーはオートドキュメントフィーダが一体に設けられていることを特徴とするものである。
【００１０】
請求項３に記載の発明は、第一のロック手段はスキャナハウジングに軸支される第一の回動部材とカバー部材に軸支される第二の回動部材とを有し、第一の回動部材は一端部に第一のフックを有し、第二の回動部材は一端部に第二のフックを有し、原稿カバー、スキャナハウジング及びカバー部材を閉姿勢にすると第一のフックとカバー部材との係合及び第二のフックとプリンタハウジングとの係合が外れ、スキャナハウジング及びカバー部材が閉姿勢の状態で原稿カバーを開姿勢にすると、第一のフックとカバー部材とが係合し、第二のフックとプリンタハウジングとが係合することを特徴とするものである。
【００１１】
請求項４に記載の発明は、スキャナハウジング及びカバー部材が閉姿勢の状態で原稿カバーを開姿勢にすると、原稿カバーによって押されていた第一の回動部材は他端部が開放されて回動し、その回動によって第一のフックとカバー部材とが係合すると同時に、第二の回動部材の他端部が第一のフックに押されて回動し、第二の回動部材が回動することによって第二のフックとプリンタハウジングとが係合することを特徴とするものである。
【００１２】
請求項５に記載の発明は、第一のロック手段は第一の回動部材を付勢する第一の付勢手段と第二の回動部材を付勢する第二の付勢手段とを有し、第一の付勢手段は、第二の付勢手段よりも大きい力で付勢しており、スキャナハウジング及びカバー部材が閉姿勢の状態で原稿カバーを開姿勢にすると、第一の回動部材は第一の付勢手段に付勢されて第一のフックとカバー部材とが係合する方向に回動し、その回動によって第一のフックとカバー部材とが係合すると同時に、第二の回動部材は他端部が第一のフックに押され、付勢手段の付勢力に抗して第二のフックとプリンタハウジングとが係合する方向に回動し、第二のフックとプリンタハウジングとが係合することを特徴とするものである。
【００１３】
請求項６に記載の発明は、第二のロック手段はスキャナハウジングに軸支される第三の回動部材とカバー部材に軸支される第四の回動部材とを有し、第三の回動部材は一端部に第三のフックを有し、第四の回動部材は一端部に第四のフックを有し、原稿カバー、スキ
ャナハウジング及びカバー部材を閉姿勢にすると第三のフックと原稿カバーとの係合及び第四のフックとプリンタハウジングとの係合が外れ、原稿カバー及びカバー部材が閉姿勢の状態でスキャナハウジングを開姿勢にすると、第三のフックと原稿カバーとが係合し、第四のフックとプリンタハウジングが係合することを特徴とするものである。
【００１４】
請求項７に記載の発明は、原稿カバー及びカバー部材が閉姿勢の状態でスキャナハウジングを開姿勢にすると、カバー部材によって押されていた第三の回動部材は他端部が開放されて回動し、その回動によって第三のフックと原稿カバーとが係合すると同時にスキャナハウジングによって押されていた第四の回動部材の他端部が開放されて回動し、その回動によって第四のフックとプリンタハウジングとが係合することを特徴とするものである。
【００１５】
請求項８に記載の発明は、第二のロック手段は第三の回動部材を付勢する第三の付勢手段と第四の回動部材を付勢する第四の付勢手段とを有し、原稿カバー及びカバー部材が閉姿勢の状態でスキャナハウジングを開姿勢にすると、第三の回動部材は第三の付勢手段に付勢されて第三のフックと原稿カバーとが係合する方向に回動し、その回動によって第三のフックと原稿カバーとが係合すると同時に、第四の回動部材は第四の付勢手段に付勢されて第四のフックとプリンタハウジングとが係合する方向に回動し、その回動によって第四のフックとプリンタハウジングとが係合することを特徴とするものである。
【００１６】
請求項９に記載の発明は、第三のロック手段はスキャナハウジングに軸支される第五の回動部材とカバー部材に軸支される第六の回動部材とを有し、第五の回動部材は一端部に第五のフックを有し、第六の回動部材は一端部に第六のフックを有し、原稿カバー、スキャナハウジング及びカバー部材を閉姿勢にすると第五のフックと原稿カバーとの係合及び第六のフックとスキャナハウジングとの係合が外れ、原稿カバー及びスキャナハウジングが閉姿勢の状態でカバー部材を開姿勢にすると、第五のフックと原稿カバーとが係合し、第六のフックとスキャナハウジングとが係合することを特徴とするものである。
【００１７】
請求項１０に記載の発明は、原稿カバー及びスキャナハウジングが閉姿勢の状態でカバー部材を開姿勢にすると、プリンタハウジングによって押されていた第六の回動部材は他端部が開放されて回動し、その回動によって第六のフックとスキャナハウジングとが係合すると同時に、第五の回動部材の他端部が第六のフックに押されて回動し、第六の回動部材が回動することによって第六のフックと原稿カバーとが係合することを特徴とするものである。
【００１８】
請求項１１に記載の発明は、第三のロック手段は第五の回動部材を付勢する第五の付勢手段と第六の回動部材を付勢する第六の付勢手段とを有し、第六の付勢手段は、第五の付勢手段よりも大きい力で付勢しており、原稿カバー及びスキャナハウジングが閉姿勢の状態でカバー部材を開姿勢にすると、第六の回動部材は第六の付勢手段に付勢されて第六のフックとスキャナハウジングとが係合する方向に回動し、その回動によって第六のフックとスキャナハウジングとが係合すると同時に、第五の回動部材は他端部が第六のフックに押され、第五付勢手段の付勢力に抗して第五のフックと原稿カバーとが係合する方向に回動し、第五のフックと原稿カバーとが係合することを特徴とするものである。
【発明の効果】
【００１９】
請求項１に記載の発明によれば第一ロック手段は、スキャナハウジング及びカバー部材が閉姿勢の状態で原稿カバーを開姿勢にすると、スキャナハウジングをカバー部材にロックし、かつカバー部材をプリンタハウジングにロックする。これにより、原稿カバーを開いた状態で誤ってスキャナハウジング及びカバー部材を開いてしまうことがない。また、第二のロック手段は、原稿カバー及びカバー部材が閉姿勢の状態でスキャナハウジングを
開姿勢にすると、原稿カバーをスキャナハウジングにロックし、かつカバー部材をプリンタハウジングにロックする。これにより、スキャナハウジングを開いた状態で誤って原稿カバー及びカバー部材を開いてしまったり、スキャナハウジングを開いたときに開いた勢いや原稿カバーの自重で原稿カバーが開いてしまったりすることがない。また、第三のロック手段は、原稿カバー及びスキャナハウジングが閉姿勢の状態でカバー部材を開姿勢にすると、原稿カバーをスキャナハウジングにロックし、かつスキャナハウジングをカバー部材にロックする。これにより、カバー部材を開いた状態で誤って原稿カバー及びスキャナハウジングを開いてしまったり、カバー部材を開いたときに開いた勢いや原稿カバー及びスキャナハウジングの自重で原稿カバー及びスキャナハウジングが開いてしまったりすることがない。
【００２０】
請求項２に記載の発明によれば、原稿カバーはオートドキュメントフィーダが一体に設けられている。オートドキュメントフィーダが一体に設けられていることにより原稿カバーはより重くなるため、第一のロック手段、第二のロック手段、及び第三のロック手段を設けることで原稿カバーが自重で開いてしまうことを防止することができる。
【００２１】
請求項３に記載の発明によれば、第一の回動部材の一端部及び第二の回動部材の一端部にフックを用いることにより、スキャナハウジング及びカバー部材が閉姿勢の状態で原稿カバーを開姿勢にしたときに、確実にスキャナハウジングをカバー部材にロックし、かつカバー部材をプリンタハウジングにロックすることができる。
【００２２】
請求項４に記載の発明によれば、スキャナハウジング及びカバー部材が閉姿勢の状態で原稿カバーを開姿勢にすると、第一の回動部材が回動することで、スキャナハウジングとカバー部材とをロックすることができると同時に、第一の回動部材が回動する力を利用して第二の回動部材を回動させることができる。これにより、簡易な構成にすることができるほか、第一の回動部材と第二の回動部材とを別々に駆動させる必要がないため、安価である。
【００２３】
請求項５に記載の発明によれば、第一のロック手段は、第一の回動部材を付勢するために第一の付勢手段を設け、第二の回動部材を付勢するために第二の付勢手段を設けている。これにより、例えば自重により第一の回動部材及び第二の回動部材を回動させる場合と比較して、より確実に回動することが可能となる。また、第一の回動部材は、第一の付勢手段によって第二の付勢手段よりも大きい力で付勢されているので、確実に第二の回動部材を回動させることができる。
【００２４】
請求項６に記載の発明によれば、第三の回動部材の一端部及び第四の回動部材の一端部にフックを用いることにより、原稿カバー及びカバー部材が閉姿勢の状態でスキャナハウジングを開姿勢にしたときに、確実に原稿カバーをスキャナハウジングにロックし、かつカバー部材をプリンタハウジングにロックすることができる。
【００２５】
請求項７に記載の発明によれば、原稿カバー、スキャナハウジング及びカバー部材が閉姿勢の状態では、第三の回動部材の他端部及び第四の回動部材の他端部は、それぞれカバー部材及びスキャナハウジングに当接されている。また、原稿カバー及びカバー部材が閉姿勢の状態でスキャナハウジングを開姿勢にしたときは、第三の回動部材の他端部及び第四の回動部材の他端部が開放され、第三の回動部材は原稿カバーをスキャナハウジングにロックし、第四の回動部材はカバー部材をプリンタハウジングのロックすることができる。これにより、スキャナハウジングを開閉するだけで第二のロック手段を解除及びロックすることができるので、簡易な構成にすることができるほか、第三の回動部材及び第四の回動部材に駆動源を設ける必要がないため、安価である。
【００２６】
請求項８に記載の発明によれば、第二のロック手段は、第三の回動部材を付勢するために第三の付勢手段を設け、第四の回動部材を付勢するために第四の付勢手段を設けている。これにより、例えば自重により第三の回動部材及び第四の回動部材を回動させる場合と比較して、より確実に回動することが可能となる。
【００２７】
請求項９に記載の発明によれば、第五の回動部材の一端部及び第六の回動部材の一端部にフックを用いることにより、原稿カバー及びスキャナハウジングが閉姿勢の状態でカバー部材を開姿勢にしたときに、確実に原稿カバーをスキャナハウジングにロックし、かつスキャナハウジングをカバー部材にロックすることができる。
【００２８】
請求項１０に記載の発明によれば、原稿カバー及びスキャナハウジングが閉姿勢の状態でカバー部材を開姿勢にすると、第六の回動部材が回動することで、カバー部材とスキャナハウジングとをロックすることができると同時に、第六の回動部材が回動する力を利用して第五の回動部材を回動させることができる。これにより、簡易な構成にすることができるほか、第六の回動部材と第五の回動部材とを別々に駆動させる必要がないため、安価である。
【００２９】
請求項１１に記載の発明によれば、第三のロック手段は、第五の回動部材を付勢するために第五の付勢手段を設け、第六の回動部材を付勢するために第六の付勢手段を設けている。これにより、例えば自重により第五の回動部材及び第六の回動部材を回動させる場合と比較して、より確実に回動することが可能となる。また、第六の回動部材は、第六の付勢手段によって第五の付勢手段よりも大きい力で付勢されているので、確実に第五の回動部材を回動させることができる。
【発明を実施するための最良の形態】
【００３０】
以下、本発明の実施形態について説明する。以降の説明において「カバー部材１４を開く」とは、カバー部材１４を閉姿勢から開姿勢に揺動することをいい、「カバー部材１４を閉じる」とは、カバー部材１４を開姿勢から閉姿勢に揺動することをいうものとする。スキャナハウジング１２、原稿カバー１３についても同様である。
【００３１】
図１は本発明の一実施例に係る画像形成装置としての複合機１０の斜視図であり、図２は複合機１０の側面図である。複合機１０はプリンタハウジング１１、カバー部材１４、スキャナハウジング１２、原稿カバー１３を備えている。
【００３２】
カバー部材１４はヒンジによりプリンタハウジング１１に連結されている。カバー部材１４はヒンジによりプリンタハウジング１１の上方を開放する姿勢とプリンタハウジング１１の上方を覆う姿勢とに揺動可能にプリンタハウジング１１に連結されている。本実施例ではカバー部材１４は水平方向に延びる揺動軸線周りに揺動するように連結されており、図２に示すようプリンタハウジング１１の上方を覆う閉姿勢と、図３に示すようにプリンタハウジング１１の上方を開放する開姿勢とに揺動可能である。
【００３３】
プリンタハウジング１１の上方にカバー部材１４を設けると、図１に示すようにカバー部材１４を排紙トレイ１６として利用することが可能となる。このように、カバー部材１４を排紙トレイ１６として利用すると、例えば板状の排紙トレイをプリンタハウジング１１の側壁の外側から斜め上に延びるように設ける場合と比較して、複合機１０を小型化できる。インクカートリッジやトナーカートリッジの交換、あるいは用紙ジャムの解除などの作業を行うときにはカバー部材１４を開いて行う。
【００３４】
スキャナハウジング１２はヒンジによりカバー部材１４に連結されている。スキャナハウジング１２はヒンジによりカバー部材１４の上方を開放する姿勢とカバー部材１４の上
方を覆う姿勢とに揺動可能にカバー部材１４に連結されている。本実施例ではスキャナハウジング１２は水平方向に延びる揺動軸線周りに揺動するように連結されており、図２に示すようカバー部材１４の上方を覆う閉姿勢と、図４に示すようにカバー部材１４の上方を開放する開姿勢とに揺動可能である。スキャナハウジング１２は上方が開口した箱形に形成されている。第一の原稿台１５はガラス板などの透明な板で形成され、スキャナハウジング１２の開口を閉塞している（図５参照）。
【００３５】
原稿カバー１３はヒンジによりスキャナハウジング１２に連結されている。原稿カバー１３はヒンジによりスキャナハウジング１２の上方を開放する姿勢とスキャナハウジング１２の上方を覆う姿勢とに揺動可能にスキャナハウジング１２に連結されている。本実施例では原稿カバー１３は水平方向に延びる揺動軸線周りに揺動するように連結されており、図２に示すようスキャナハウジング１２の上方を覆う閉姿勢と、図５に示すようにスキャナハウジング１２の上方を開放する開姿勢とに揺動可能である。
【００３６】
図６は複合機１０の模式図である。原稿カバー１３は第一の原稿台１５に載置された原稿Ｍを押さえるとともに、光源２３の放射光以外の光が原稿Ｍを照らすことがないように第一の原稿台１５を覆うものである。本実施例の原稿カバー１３はＡＤＦ（オートシートフィーダ）１８が一体に設けられている。ＡＤＦ１８は複数の読み取り対象の原稿を一括して載置するための第二の原稿台１７に載置された原稿を一枚ずつ搬送するローラ１９を回転させるモータ、制御回路などで構成されている。
【００３７】
スキャナハウジング１２には、画像読み取り手段としてのスキャナ部２０が収容されている。スキャナ部２０は、キャリッジ２１、リニアイメージセンサ２２を実装した走査回路基板２６、光源２３、レンズ２４、ミラー２５、図示しない副走査駆動部などを備える。キャリッジ２１はスキャナハウジング１２に固定された棒状のキャリッジガイド２７に摺動自在に支持されており、副走査駆動部によってキャリッジガイド２７の軸線方向に往復移動する。リニアイメージセンサ２２を実装した走査回路基板２６、光源２３、レンズ２４、及びミラー２５はキャリッジ２１に搭載されている。光源２３は、第一の原稿台１５上に載置されている原稿の走査線近傍を照射し、ミラー２５及びレンズ２４は照射された原稿の走査線上の反射光像をリニアイメージセンサ２２の受光面に結像させる。リニアイメージセンサ２２は、ＲＢＧ各色の受光素子が図６において紙面垂直方向に直線状に並ぶ姿勢で走査回路基板２６に搭載されている。リニアイメージセンサ２２は受光面に結像された光学像の濃淡に相関する電気信号を出力する。走査回路基板２６にはリニアイメージセンサ２２及び光源２３を駆動する回路、ＡＤ変換回路等が実装されている。第二の原稿台１７に載置された原稿を読み取る場合、副走査駆動部はキャリッジ２１を図６において破線で示す位置に移動させる。後述する制御部がＡＤＦ１８を制御して原稿Ｎを搬送することでリニアイメージセンサ２２と原稿Ｎとが相対移動するため、二次元画像の走査が可能となる。
【００３８】
プリンタハウジング１１には画像形成手段としてのプリンタ部３０が収容されている。プリンタ部３０はモノクロレーザー方式により印刷媒体に画像を印刷する。なお、本実施例ではモノクロレーザー方式により印刷を行う場合を説明するが、カラーレーザー方式、インクジェット方式、ドットインパクト方式などで印刷を行うものであってもよい。プリンタ部３０は、感光ドラム３１、チャージローラ３２、レーザー発信機３３、トナーカートリッジ３４、転写ローラ３５、プレッシャーロール３６、ヒートロール３７、クリーナーユニット３８、図示しない用紙搬送部などを備える。チャージローラ３２は感光ドラム３１を帯電させ、レーザー発信機３３はレーザー光を発光して感光ドラム３１上に静電潜像を形成する。トナーカートリッジ３４にはマグネットローラとトナーとが収容されており、マグネットローラで感光ドラム３１にトナーを付着させることにより静電潜像を現像する。印刷媒体としての印刷用紙３９は図示しない用紙搬送部によって搬送され、ヒート
ロール３７は転写されたトナーを熱で溶かして印刷用紙３９に定着させ、プレッシャーロール３６は印刷用紙３９に圧力を加えてトナーを圧着させる。クリーナーユニット３８は印刷用紙３９に転写しきれなかった感光ドラム３１上の残留トナーを除去する。印刷された印刷用紙３９は用紙搬送部によってカバー部材１４の排紙トレイ１６に排出される。
【００３９】
プリンタハウジング１１には図示しない制御部が収容されている。制御部は画像読み取り手段としても印刷手段としても機能する。制御部はスキャナ部２０を制御して原稿を読み取らせ、走査回路基板２６から出力される信号にガンマ補正、シェーティング補正などを施して画像データを作成する。また、制御部は画像データにハーフトーン処理、解像度変換処理、色空間の変換処理、インターレース処理等を施して印刷データを作成し、作成したデータに基づいてプリンタ部３０を制御してディジタル画像を印刷させる。
【００４０】
次に、ロック機構について説明する。ロック機構は、図５に示すようにスキャナハウジング１２及びカバー部材１４が閉姿勢の状態で、原稿カバー１３を開姿勢にすると、スキャナハウジング１２をカバー部材１４にロックし、かつカバー部材１４をプリンタハウジング１１にロックする第一のロック手段７と、図４に示すように原稿カバー１３及びカバー部材１４が閉姿勢の状態で、スキャナハウジング１２を開姿勢にすると、原稿カバー１３をスキャナハウジング１２にロックし、かつカバー部材１４をプリンタハウジング１１にロックする第二のロック手段８と、図３に示すように原稿カバー１３及びスキャナハウジング１２が閉姿勢の状態でカバー部材１４を開姿勢にすると、原稿カバー１３をスキャナハウジング１２にロックし、かつスキャナハウジング１２をカバー部材１４にロックする第三のロック手段９とを備える。ロック機構は、図１３に示すように、複合機１０の左側に、左から第一のロック手段７、第二のロック手段８、第三のロック手段９の順に配置されている。なお、図１３はスキャナハウジング１２及びカバー部材１４を閉姿勢にした状態で、原稿カバー１３を開姿勢にした状態の複合機１０を示している。
【００４１】
第一のロック手段７について説明する。図７及び図８は、第一のロック手段７を、複合機１０の左側から見た図である。また、図７は原稿カバー１３、スキャナハウジング１２及び原稿カバー１３が閉姿勢の状態を示している。
【００４２】
第一のロック手段は、スキャナハウジング１２に設けられた第一の回動部材４０及び第一の付勢手段４２と、カバー部材１４に設けられた第二の回動部材５０及び第二の付勢手段５２とで構成されている。
【００４３】
図７に示すように、第一の回動部材４０は一端部に設けられた第一のフック４０ａと他端部に設けられた第一の当接部４０bとを有し、第一の当接部４０ｂはスキャナハウジン
グ１２の上面に設けられた開口部１２ａから突出して原稿カバー１３の下面に当接し、原稿カバー１３の下面に押さえつけられた状態になっている。第一の回動部材４０は、第一のフック４０ａの先端部をスキャナハウジング１２の下面に設けられた開口部１２ｂに向かって（矢印のＰ方向に向かって）付勢する第一の付勢手段４２が設けられている。第一の付勢手段４２は弾性体であり、本実施例では圧縮コイルバネを用いている。第一の回動部材４０に備えられた第一の回動部材孔４３はスキャナハウジング１２に設けられた第一の回転軸４１に回動自在に嵌合しており、第一の回動部材４０は、第一の回転軸４１を回動中心として第一の当接部４０ｂが原稿カバー１３の下面に当接され、第一のフック４０ａが第二の当接部５０ｂを押さず、かつ係止部５４と係合しない状態で静止している。
【００４４】
第二の回動部材５０は一端部に設けられた第二のフック５０ａと他端部に設けられた第二の当接部５０ｂとを有し、第二の当接部５０ｂはカバー部材１４の上面に設けられている開口部１４ａの中に設けられた係止部５４（図１５参照）に当接している。なお、図１５は、カバー部材１４の上面を示しており、開口部１４ａ及び係止部５４のみを図示して
いる。
【００４５】
第二の回動部材５０は、第二のフック５０ａの先端部をカバー部材１４の下面に設けられた開口部１４ｂへ向かう方向と逆方向に向かって（矢印のＱ方向に向かって）付勢する第二の付勢手段５２が設けられている。第二の付勢手段５２は弾性体であり、本実施例では引張コイルバネを用いている。第二の回動部材５０に備えられた第二の回動部材孔５３はカバー部材１４に設けられた第二の回転軸５１に回動自在に嵌合しており、第二の回動部材５０は、第二の回転軸５１を回動中心として第二の当接部５０ｂが係止部５４に当接され、第二のフック５０ａがプリンタハウジング１１と係合しない状態で静止している。また、第一の付勢手段４２は、第二の付勢手段５２よりも強い力で付勢するように、例えば、第二の付勢手段５２よりも太いコイルバネを使用している。また、プリンタハウジング１１の上面には、開口部１４ｂに対向するように開口部１１ａが設けられている。
【００４６】
図８は、原稿カバー１３を図７に示す閉姿勢から開姿勢にした状態を示している。つまり、スキャナハウジング１２及びカバー部材１４を閉姿勢にした状態で、原稿カバー１３のみを開姿勢にしている。原稿カバー１３が開かれると、原稿カバー１３の下面に当接されていた第一の当接部４０ｂが開放されるので、第一の回動部材４０は第一の回転軸４１を中心として、第一の付勢手段４２による矢印Ｐ方向の付勢力により、時計回りに回動される。この付勢力によって第一のフック４０ａは開口部１２ｂ及び開口部１４ａを潜り抜け、第二の回動部材５０の第二の当接部５０ｂに当接すると同時に係止部５４に係合する。
【００４７】
また、第二の当接部５０ｂが第一のフック４０ａに付勢されることによって、第二の回動部材５０は第二の回転軸５１を中心として第二の付勢手段５２の付勢力に抗して矢印Ｑ方向と反対の方向へ回動する。そして、第二のフック５０ａは開口部１４ｂ及び開口部１１ａを潜り抜け、プリンタハウジング１１に係合する。
【００４８】
よって、スキャナハウジング１２及びカバー部材１４が閉姿勢の状態で原稿カバー１３を開姿勢にすると、第一のロック手段７は、スキャナハウジング１２をカバー部材１４にロックし、かつカバー部材１４をプリンタハウジング１１にロックする。これにより、原稿カバーを開いた状態で誤ってスキャナハウジング及びカバー部材を開いてしまうことがない。
【００４９】
また、第一の回動部材４０の一端部及び第二の回動部材５０の一端部にフックを用いることにより、確実にロックすることができる。また、スキャナハウジング１２及びカバー部材１４が閉姿勢の状態で原稿カバー１３を開姿勢にすると、第一の回動部材４０が回動することで、スキャナハウジング１２とカバー部材１４とをロックすることができると同時に、第一の回動部材４０が回動する力を利用して第二の回動部材５０を回動させることができる。これにより、簡易な構成にすることができるほか、第一の回動部材４０と第二の回動部材５０とを別々に駆動させる必要がないため、安価である。
【００５０】
また、第一の回動部材４０を付勢するために第一の付勢手段４２を設け、第二の回動部材５０を付勢するために第二の付勢手段５２を設けている。これにより、例えば自重により第一の回動部材４０及び第二の回動部材５０を回動させる場合と比較して、より確実に回動することが可能となる。また、第一の回動部材４０は、第一の付勢手段４２によって第二の付勢手段５２よりも大きい力で付勢されているので、確実に第二の回動部材５０を回動させることができる。
【００５１】
なお、原稿カバー１３を図８に示す状態から図７に示す状態にするときは、ロックするときの動きと反対の動きをすることで、ロックが解除される。
【００５２】
第二のロック手段８について説明する。図９及び図１０は、第二のロック手段８を、複合機１０の左側から見た図である。また、図９は原稿カバー１３、スキャナハウジング１２及びカバー部材１４が閉姿勢の状態を示している。
【００５３】
第二のロック手段８は、スキャナハウジング１２に設けられた第三の回動部材６０及び第三の付勢手段６２と、カバー部材１４に設けられた第四の回動部材７０及び第四の付勢手段７２とで構成されている。
【００５４】
第三の回動部材６０は一端部に設けられた第三のフック６０ａと他端部に設けられた第三の当接部６０ｂとを有し、第三の当接部６０ｂはスキャナハウジング１２の下面に設けられた開口部１２ｄから突出してカバー部材１４の上面に当接している。第三の回動部材６０は、第三のフック６０aの先端部をスキャナハウジング１２の上面に設けられた開口
部１２ｃに向かって（矢印のＲ方向に向かって）付勢する第三の付勢手段６２が設けられている。第三の付勢手段６２は弾性体であり、本実施例では圧縮コイルバネを用いている。第三の回動部材６０に備えられた第三の回動部材孔６３はスキャナハウジング１２に設けられた第三の回転軸６１に回動自在に嵌合しており、第三の回動部材６０は、第三の回転軸６１を回動中心として第三の当接部６０ｂがスキャナハウジング１２の上面に当接され、第三のフック６０ａが原稿カバー１３に係合しない状態で静止している。また、原稿カバー１３の下面には、開口部１２ｃに対向するように開口部１３ａが設けられている。
【００５５】
第四の回動部材７０は一端部に設けられた第四のフック７０ａと他端部に設けられた第四の当接部７０ｂとを有し、第四の当接部７０ｂはカバー部材１４の上面に設けられた開口部１４ｃから突出してスキャナハウジング１２の下面に当接している。第四の回動部材７０は、第四のフック７０ａの先端部をカバー部材１４の下面に設けられた開口部１４ｄに向かって（矢印のＳ方向に向かって）付勢する第四の付勢手段７２が設けられている。第四の付勢手段６２は弾性体であり、本実施例では圧縮コイルバネを用いている。第四の回動部材７０に備えられた第四の回動部材孔７３はカバー部材１４に設けられた第四の回転軸７１に回動自在に嵌合されており、第四の回動部材７０は、第四の回転軸７１を回動中心として第四の当接部７０ｂがスキャナハウジング１２の下面に当接され、第四のフック７０ａがプリンタハウジング１１に係合しない状態で静止している。また、プリンタハウジング１１の上面には、開口部１４ｄに対向するように開口部１１ｂが設けられている。
【００５６】
図１０は、スキャナハウジング１２を図９の閉姿勢から開姿勢した状態を示している。つまり、原稿カバー１３及びカバー部材１４を閉姿勢にした状態で、スキャナハウジング１２を開姿勢にしている。スキャナハウジング１２が開かれると、カバー部材１４の上面に当接されていた第三の当接部６０ｂが開放されるので、第三のフック６０ａが第三の付勢手段６２による矢印Ｒ方向への付勢力により時計回りに回動される。この回動によって第三のフック６２は開口部１２ｃ及び開口部１３ａを潜り抜け、原稿カバー１３に係合する。
【００５７】
また、同時に、スキャナハウジング１２の下面に当接されていた第四の当接部７０ｂが開放されるので、第四のフック７０aが第四の付勢手段７２による矢印Ｓ方向への付勢力
により時計回りの方向へ回動される。この回動によって第四のフック７２は開口部１４ｄ及び開口部１１ｂを潜り抜け、プリンタハウジング１１に係合する。これにより、スキャナハウジング１２を開いた状態で誤って原稿カバー１３及びカバー部材１４を開いてしまったり、スキャナハウジング１２を開いたときに開いた勢いや原稿カバー１３の自重で原稿カバー１３が開いてしまったりすることがない。また、第三の回動部材６０の一端部及び第四の回動部材７０の一端部にフックを用いることにより、確実にロックすることがで
きる。
【００５８】
また、原稿カバー１３、スキャナハウジング１２及びカバー部材１４が閉姿勢の状態では、第三の当接部６０ｂ及び第四の当接部７０ｂは、それぞれカバー部材１４及びスキャナハウジング１２に当接されている。また、原稿カバー１３及びカバー部材１４が閉姿勢の状態でスキャナハウジング１２を開姿勢にしたときは、第三の当接部６０ｂ及び第四の当接部７０ｂが開放され、第三のフック６０ａは原稿カバー１３をスキャナハウジング１２にロックし、第四のフック７０ｂはカバー部材１４をプリンタハウジング１１のロックすることができる。これにより、スキャナハウジング１２を開閉するだけで第二のロック手段８を解除及びロックすることができるので、簡易な構成にすることができるほか、第三の回動部材６０及び第四の回動部材７０に駆動源を設ける必要がないため、安価である。
【００５９】
また、第三の回動部材６０を付勢するために第三の付勢手段６２を設け、第四の回動部材７０を付勢するために第四の付勢手段７２を設けている。これにより、例えば自重により第三の回動部材６０及び第四の回動部材７０を回動させる場合と比較して、より確実に回動することが可能となる。
【００６０】
なお、原稿カバー１３を図１０に示す状態から図９に示す状態にするときは、ロックするときの動きと反対の動きをすることで、ロックが解除される。
【００６１】
第三のロック手段９について説明する。図１１及び図１２は、第三のロック手段９を、複合機１０の左側から見た図である。また、図１１は原稿カバー１３、スキャナハウジング１２及びカバー部材１４が閉姿勢の状態を示している。
【００６２】
第三のロック手段９は、スキャナハウジング１２に設けられた第五の回動部材８０及び第五の付勢手段８２と、カバー部材１４に設けられた第六の回動部材９０及び第六の付勢手段９２とで構成されている。
【００６３】
第五の回動部材８０は一端部に設けられた第五のフック８０ａと他端部に設けられた第五の当接部８０ｂとを有し、第五の当接部８０ｂはスキャナハウジング１２の下面に設けられている開口部１２ｆの中に設けられた係止部８４（図１６参照）に当接している。なお、図１６は、スキャナハウジング１２の下面を示しており、開口部１２ｆ及び係止部８４のみを図示している。  
【００６４】
第五の回動部材８０は、第五のフック８０aの先端部をスキャナハウジング１２の上面
に設けられた開口部１２ｅに向かう方向と逆の方向に向かって（矢印のＸ方向に向かって）付勢する第五の付勢手段８２が設けられている。第五の付勢手段８２は弾性体であり、本実施例では引張コイルバネを用いている。第五の回動部材８０に備えられた第五の回動部材孔８３はスキャナハウジング１２に設けられた第五の回転軸８１に回動自在に嵌合しており、第五の回動部材８０は、第五の回転軸８１を回動中心として第五の当接部８０ｂが係止部８４に当接され、第五のフック８０ａが原稿カバー１３に係合しない状態で静止している。また、原稿カバー１３の下面には、開口部１２eに対向するように開口部１３
ｂが設けられている。
【００６５】
第六の回動部材９０は一端部に設けられた第六のフック９０ａと他端部に設けられた第六の当接部９０ｂとを有し、第六の当接部９０ｂはカバー部材１４の下面に設けられた開口部１４ｆから突出してプリンタハウジング１１の上面に当接している。第六の回動部材９０は、第六のフック９０ａの先端部をカバー部材１４の上面に設けられた開口部１４ｅに向かって（矢印のＹ方向に向かって）付勢する第六の付勢手段９２が設けられている。
【００６６】
第六の付勢手段９２は弾性体であり、本実施例では圧縮コイルバネを用いている。第六の回動部材９０に備えられた第六の回動部材孔９３はカバー部材１４に設けられた第六の回転軸９１に回動自在に嵌合しており、第六の回動部材９０は、第六の回転軸９１を回動中心として第六の当接部９０ｂがプリンタハウジング１１の上面に当接され、第六のフック９０ａが第五の当接部８０ｂを押さず、かつ係止部８４と係合しない状態で静止している。また、第六の付勢手段９２は、第五の付勢手段８２よりも強い力で付勢するように、例えば、第五の付勢手段８２よりも太いコイルバネを使用している。
【００６７】
図１２は、カバー部材１４を図１１の閉姿勢から開姿勢にした状態を示している。つまり、原稿カバー１３及びスキャナハウジング１２を閉姿勢にした状態から、カバー部材１４を開姿勢した状態を示している。カバー部材１４が開かれると、プリンタハウジング１１の上面に当接されていた第六の当接部９０ｂが開放されるので、第六のフック９０ａは、第六の付勢手段９２による矢印Ｙ方向への付勢力により時計回りへ回動される。この回動によって第六のフック９２は開口部１４e及び開口部１２ｆを潜り抜け、第五の当接部
８０の第五の当接部８０ｂに当接すると同時に第五の係止部８４に係合する。
【００６８】
また、第五の当接部８０ｂが第六のフック９０ａに押されることによって、第五の回動部材８０は第五の回転軸８１を中心として第五の付勢手段８２による矢印Ｘ方向への付勢力に対して反時計回りへ回動する。そして、第五のフック８０ａは開口部１２e及び開口
部１３ｂを潜り抜け、原稿カバー１３に係合する。よって、原稿カバー１３及びスキャナハウジング１２が閉姿勢の状態でカバー部材１４を開姿勢にすると、カバー部材１４がスキャナハウジング１２にロックし、かつスキャナハウジング１２が原稿カバー１３にロックする。これにより、カバー部材１４を開いた状態で誤って原稿カバー１３及びスキャナハウジング１２を開いてしまったり、カバー部材１４を開いたときに開いた勢いや原稿カバー１３及びスキャナハウジング１２の自重で原稿カバー１３及びスキャナハウジング１２が開いてしまったりすることがない。
【００６９】
また、第五の回動部材８０の一端部及び第六の回動部材９０の一端部にフックを用いることにより、確実にロックすることができる。
【００７０】
また、原稿カバー１３及びスキャナハウジング１２が閉姿勢の状態でカバー部材１４を開姿勢にすると、第六の回動部材９０が回動することで、カバー部材１４及びスキャナハウジング１２をロックすることができると同時に、第六の回動部材９０が回動する力を利用して第五の回動部材８０を回動させることができる。これにより、簡易な構成にすることができるほか、第六の回動部材９０と第五の回動部材８０とを別々に駆動させる必要がないため、安価である。
【００７１】
また、第五の回動部材８０を付勢するために第五の付勢手段８２を設け、第六の回動部材９０を付勢するために第六の付勢手段９２を設けている。これにより、例えば自重により第五の回動部材８０及び第六の回動部材９０を回動させる場合と比較して、より確実に回動することが可能となる。また、第六の回動部材９０は、第六の付勢手段９２によって第五の付勢手段８０よりも大きい力で付勢されているので、確実に第五の回動部材８０を回動させることができる。
【００７２】
また、原稿カバー１３を図１２に示す状態から図１１に示す状態にするときは、ロックするときの動きと反対の動きをすることで、ロックが解除される。
なお、本実施例の第一の回動部材４０については、スキャナハウジング１２に第一の回転軸４１が設けられ、第一の回動部材４０に第一の回動部材孔４３が備えられているが、これに限定する必要はなく、例えば第一の回動部材４０に設けられた軸が、スキャナハウジ
ング１２に備えられた孔に回動自在に嵌合してもよい。また、第二の回動部材５０については、カバー部材１４に第二の回転軸５１が設けられ、第二の回動部材５０に第二の回動部材孔５３が備えられているが、これに限定する必要はなく、例えば第二の回動部材５０に設けられた軸が、カバー部材１４に備えられた孔に回動自在に嵌合してもよい。なお、第三の回動部材６０、第四の回動部材７０、第五の回動部材８０及び第六の回動部材９０についても同様である。
【００７３】
また、ロック機構は図１３に示すように、複合機１０の左側に左方向から右方向に向かって第一のロック手段７、第二のロック手段８、第三のロック手段９の順に配置されているが、各ロック手段の位置はこれに限らず、例えば複合機１０の右側に、左方向から右方向に向かって第一のロック手段７、第二のロック手段８、第三のロック手段９の順に配置してもよい。また、第一のロック手段７と第二のロック手段８、及び第三のロック手段９を配置する順番もこれに限らず、例えば左方向から右方向に向かって第三のロック手段９、第二のロック手段８、第一のロック手段７の順などに配置してもよい。
【００７４】
また、図１４は、複合機１０を左斜め上から見た図である。図に示すように、ロック機構は複合機１０左方向に、前方向から順に第一のロック手段７、第二のロック手段８、第三のロック手段９に配置してもよく、また、これに限らず複合機１０の右側に、前方向から順に、第一のロック手段７、第二のロック手段８、第三のロック手段９に配置してもよい。また、第一のロック手段７と第二のロック手段８及び第三のロック手段９を配置する順番もこれに限らず、例えば前方向から後方向に向かって第三のロック手段９、第二のロック手段８、第一のロック手段７の順などに配置してもよい。
【図面の簡単な説明】
【００７５】
【図１】本発明の複合機の斜視図である。
【図２】本発明の複合機において、原稿カバー、スキャナハウジング及びカバー部材が閉姿勢である状態を示す図である。
【図３】本発明の複合機において、原稿カバー及びスキャナハウジングが閉姿勢の状態で、カバー部材を開姿勢にした状態を示す図である。
【図４】本発明の複合機において、原稿カバー及びカバー部材が閉姿勢の状態で、スキャナハウジングを開姿勢にした状態を示す図である。
【図５】本発明の複合機において、スキャナハウジング及びカバー部材が閉姿勢の状態で、原稿カバーを開姿勢にした状態を示す図である。
【図６】本発明の複合機の模式図である。
【図７】本発明において、原稿カバー、スキャナハウジング及びカバー部材が閉姿勢である状態の第一のロック手段を示す図である。
【図８】本発明において、スキャナハウジング及びカバー部材が閉姿勢の状態で、原稿カバーを開姿勢にした状態の第一のロック手段を示す図である。
【図９】本発明において、原稿カバー、スキャナハウジング及びカバー部材が閉姿勢である状態の第二のロック手段を示す図である。
【図１０】本発明において、原稿カバー及びカバー部材が閉姿勢の状態で、スキャナハウジングを開姿勢にした状態の第二のロック手段を示す図である。
【図１１】本発明において、原稿カバー、スキャナハウジング及びカバー部材が閉姿勢である状態の第三のロック手段を示す図である。
【図１２】本発明において、原稿カバー及びスキャナハウジングが閉姿勢の状態で、カバー部材を開姿勢にした状態の第三のロック手段を示す図である。
【図１３】各ロック手段の位置を示す、本発明の一実施例を示す図である。
【図１４】各ロック手段の位置を示す、本発明の他の実施例を示す図である。
【図１５】カバー部材の上面を示す平面図である。
【図１６】スキャナハウジングの下面を示す平面図である。
【図１７】原稿カバー及びスキャナハウジングが開姿勢の状態を示す従来の複合機の図である。
【図１８】スキャナハウジングが閉姿勢の状態で、カバー部材を開姿勢にした状態を示す従来の複合機の図である。
【図１９】原稿カバーが閉姿勢の状態で、スキャナハウジングを開姿勢にした状態を示す従来の複合機の図である。
【図２０】原稿カバーが閉姿勢の状態で、スキャナハウジングを開姿勢にした後に、カバー部材を開姿勢にした従来の複合機の図である。
【符号の説明】
【００７６】
７…第一のロック手段
８…第二のロック手段
９…第三のロック手段
１１…プリンタハウジング
１２…スキャナハウジング
１３…原稿カバー
１４…カバー部材
４０…第一の回動部材
４０ａ…第一のフック
４０ｂ…第一の当接部
４１…第一の回転軸
４２…第一の付勢手段
５０…第二の回動部材
５０ａ…第二のフック
５０ｂ…第二の当接部
５１…第二の回転軸
５２…第二の付勢手段
６０…第三の回動部材
６０ａ…第三のフック
６０ｂ…第三の当接部
６１…第三の回転軸
６２…第三の付勢手段
７０…第四の回動部材
７０ａ…第四のフック
７０ｂ…第四の当接部
７１…第四の回転軸
７２…第四の付勢手段
８０…第五の回動部材
８０ａ…第五のフック
８０ｂ…第五の当接部
８１…第五の回転軸
８２…第五の付勢手段
９０…第六の回動部材
９０ａ…第六のフック
９０ｂ…第六の当接部
９１…第六の回転軸
９２…第六の付勢手段
【図１】
2008209823.tif 000003
【図２】
2008209823.tif 000004
【図３】
2008209823.tif 000005
【図４】
2008209823.tif 000006
【図５】
2008209823.tif 000007
【図６】
2008209823.tif 000008
【図７】
2008209823.tif 000009
【図８】
2008209823.tif 000010
【図９】
2008209823.tif 000011
【図１０】
2008209823.tif 000012
【図１１】
2008209823.tif 000013
【図１２】
2008209823.tif 000014
【図１３】
2008209823.tif 000015
【図１４】
2008209823.tif 000016
【図１５】
2008209823.tif 000017
【図１６】
2008209823.tif 000018
【図１７】
2008209823.tif 000019
【図１８】
2008209823.tif 000020
【図１９】
2008209823.tif 000021
【図２０】
2008209823.tif 000022